(57)【要約】      （修正有）【課題】放熱効率を向上しつつ薄型化が図れるテレビジョン受像機とプラズマディスプレイ装置を提供する。【解決手段】プラズマディスプレイ装置１００は、表示パネル１２０を備えた表示筐体１１０と、表示筐体の片側と下部を保持する保持筐体１７０とを含んで構成され、表示パネルは、片側にＹ電極群とＸ電極群が接続されるＸＹ接続部、下部にＡ電極群が接続されるＡ接続部を備え、保持筐体の下部筐体１５４は、Ｙ電極群に維持放電パルスを印加するＹ駆動部と、Ｘ電極群に維持放電パルスを印加するＸ駆動部と、Ａ電極群にデータパルスと駆動電圧を供給するＡ駆動部とを備え、保持筐体の側筐体１５３は、Ｘ駆動部とＹ駆動部を表示パネルに接続し、各ライン毎に独立してスキャンパルスを印加するＸＹ処理部を備え、表示パネルの前面を電波シールドシート１３０、裏面を導電性部材の裏面パネル１５０で覆うようにする。【選択図】図１
2009239561.tif 000002
【特許請求の範囲】
【請求項１】
水平方向に平行に配置されたスキャン電極群とサステイン電極群とが形成され、該スキャン電極群と該サステイン電極群と直交する位置にアドレス電極群を形成し、それらの交点の複数の画素毎の射出光の制御により主面より画像を表示するプラズマディスプレイ装置と、チューナを備えたテレビジョン受像機本体とを含んで構成されるテレビジョン受像機において、
前記プラズマディスプレイ装置は、前記表示パネルを備えた表示筐体と、この表示筐体の一方の片側と下部を保持する保持筐体とを含んで構成され、
前記表示パネルは、一方の片側に前記スキャン電極群と前記サステイン電極群が接続されるＸＹ接続部、下部に前記アドレス電極群が接続されるＡ接続部をそれぞれ備え、
前記保持筐体は、前記表示筐体の下部を保持する下部筐体に、前記スキャン電極群に維持放電パルスを印加するＹ駆動部と、前記サステイン電極群に維持放電パルスを印加するＸ駆動部と、前記アドレス電極群にデータパルスと駆動電圧を供給するＡ駆動部とを備え、
前記表示筐体の一方の片側を保持する前記保持筐体の側筐体に前記Ｘ駆動部と前記Ｙ駆動部を前記表示パネルに接続し、各ライン毎に独立してスキャンパルスを印加するＸＹ処理部を備え、
前記テレビジョン受像機本体に、前記Ｘ駆動部と前記Ｙ駆動部及び前記Ａ駆動部を駆動制御する表示制御部を備え、
前記表示筐体は、前記表示パネルの主面となる前部を電波シールドシートで覆い、対向する裏面側に前記表示パネルを強度的に保持し、かつ前記表示パネルの裏面を導電性の部材で覆って外側に露出して配置される裏面パネルを備えた
ことを特徴とするテレビジョン受像機。
【請求項２】
前記請求項１記載のテレビジョン受像機において、
前記Ｘ駆動部と前記Ｙ駆動部及び前記Ａ駆動部は、前記表示パネルの下辺に沿って形成され、前記Ａ駆動部は前記背面パネルを挟んで表示パネルの下端部と対向する裏面側に配置し、その下方に前記Ｘ駆動部と前記Ｙ駆動部を左右に並べて配置した
ことを特徴とするテレビジョン受像機。
【請求項３】
前記請求項１または２記載のテレビジョン受像機において、
前記側筐体に、前記表示パネルの片側に沿って形成され、該表示パネルと前記ＸＹ処理部を左右に並べて配置する基板収納部を設けた
ことを特徴とするテレビジョン受像機。
【請求項４】
前記請求項１から３の何れかに記載のテレビジョン受像機において、
前記裏面パネルは、前記表示パネル裏面を覆う大きさを備え、
前記保持筐体は、前記表示筐体を保持する保持手段を備えたシャーシを備えている
ことを特徴とするテレビジョン受像機。
【請求項５】
前記請求項１から４の何れかに記載のテレビジョン受像機において、
前記下部筐体は、前記裏面パネルより後方に張り出して形成され、
前記後方に張り出した上面と下面に前記下部筐体内で発生する熱を排気する通風口を備えたことを特徴とするテレビジョン受像機。
【請求項６】
水平方向に平行に配置されたスキャン電極群とサステイン電極群とが形成され、該スキャン電極群と該サステイン電極群と直交する位置にアドレス電極群を形成し、それらの交点の複数の画素毎の射出光の制御により主面より画像を表示するプラズマディスプレイ装置において、
前記プラズマディスプレイ装置は、前記表示パネルを備えた表示筐体と、この表示筐体の一方の片側と下部を保持する保持筐体とを含んで構成され、
前記表示パネルは、一方の片側に前記スキャン電極群と前記サステイン電極群が接続されるＸＹ接続部、下部に前記アドレス電極群が接続されるＡ接続部をそれぞれ備え、
前記保持筐体は、前記表示筐体の下部を保持する下部筐体に、前記スキャン電極群に維持放電パルスを印加するＹ駆動部と、前記サステイン電極群に維持放電パルスを印加するＸ駆動部と、前記アドレス電極群にデータパルスと駆動電圧を供給するＡ駆動部とを備え、
前記表示筐体の一方の片側を保持する前記保持筐体の側筐体に前記Ｘ駆動部と前記Ｙ駆動部を前記表示パネルに接続し、各ライン毎に独立してスキャンパルスを印加するＸＹ処理部を備え、
前記Ｘ駆動部と前記Ｙ駆動部及び前記Ａ駆動部は、コードを介して接続される表示制御装置を介して駆動制御され、
前記表示筐体は、前記表示パネルの主面となる前部を電波シールドシートで覆い、対向する裏面側に前記表示パネルを強度的に保持し、かつ前記表示パネルの裏面を導電性の部材で覆って外側に露出して配置される裏面パネルを備えた
ことを特徴とするプラズマディスプレイ装置。
【請求項７】
前記請求項６記載のプラズマディスプレイ装置において、
前記Ｘ駆動部と前記Ｙ駆動部及び前記Ａ駆動部は、前記表示パネルの下辺に沿って形成され、前記Ａ駆動部は前記背面パネルを挟んで表示パネルの下端部と対向する裏面側に配置し、その下方に前記Ｘ駆動部と前記Ｙ駆動部を左右に並べて配置した
ことを特徴とするプラズマディスプレイ装置。
【請求項８】
前記請求項６または７記載のプラズマディスプレイ装置において、
前記側筐体に、前記表示パネルの片側に沿って形成され、該表示パネルと前記ＸＹ処理部を左右に並べて配置する基板収納部を設けた
ことを特徴とするプラズマディスプレイ装置。
【請求項９】
前記請求項６から８の何れかに記載のプラズマディスプレイ装置において、
前記裏面パネルは、前記表示パネル裏面を覆う大きさを備え、
前記保持筐体は前記表示筐体を保持する保持手段を備えたシャーシを備えている
ことを特徴とするプラズマディスプレイ装置。
【請求項１０】
前記請求項６から９の何れかに記載のプラズマディスプレイ装置において、
前記下部筐体は、前記裏面パネルより後方に張り出して形成され、
前記後方に張り出した上面と下面に前記下部筐体内で発生する熱を排気する通風口を備えたことを特徴とするプラズマディスプレイ装置。
【発明の詳細な説明】
【技術分野】
【０００１】
本発明は、薄型のテレビジョン受像機及びプラズマディスプレイ装置の構造に関するものである。
【背景技術】
【０００２】
従来のプラズマディスプレイパネル（以下ＰＤＰという）は、前面基板である透明ガラス基板に水平方向に平行に配置されたスキャン電極群（Ｙ電極群）とサステイン電極群（Ｘ電極群）とが形成され、背面基板にＹ電極群とＸ電極群と直交するアドレス電極群（Ａ電極群）を形成し、それらの交点のセルを選択して放電させ、発生する紫外線で蛍光体を発光させる構造を備えている。このような構造を備えるＰＤＰでは、液晶ディスプレイパネルのようにバックライトを用いないので薄型化を実現しやすい構造となっている。
【０００３】
このような構造からなるＰＤＰは、Ｙ電極群とＸ電極群が、その両側または片側端部に配置されるＸＹ接続部と接続され、このＸＹ接続部とフレキシブル配線シートを介して夫々のＸ、Ｙ駆動部と接続される。また、Ａ電極群には、それぞれ接続用の端子を有するＡ接続部が端部に形成され、フレキシブル配線シートを介し、Ａ駆動部に接続される。各々の駆動部は、点灯セルの選択や放電のための制御を行う制御部に接続され、制御される。そして、前記構造では、夫々の駆動部と制御部はＰＤＰの裏面側に配置される。
【０００４】
特に、この従来技術では、サステイン電流を供給するためのコンデンサを備えたＸ駆動部と、スキャン電圧を供給するためのコンデンサを備えたＹ駆動部と、これらをＸＹ接続部に接続するためのＸＹ処理部とを分離して設けた技術が開示されている。
【０００５】
また、このＰＤＰでは、高電圧での放電が行われ、高速のパルス電流が繰り返し流れるため、他の機器に比べて不要電波が多く放出されている。そこで、ＰＤＰの前面には抵抗膜や金属メッシュで覆われ、裏面側は金属シャーシと、これを覆う背面カバーで覆う構造を備えている。
【０００６】
【特許文献１】特開２００１−２６５２７８号公報
【特許文献２】特開２００１−２６５２４２号公報
【発明の開示】
【発明が解決しようとする課題】
【０００７】
近年、薄型ディスプレイは大型化し、益々薄型の要求が高まっている。しかし、前記従来のＰＤＰでは、ＰＤＰの裏面側に駆動部や制御部などの基板が配置されているために、この基板の厚さが薄型化を困難にしている。加えて、ＰＤＰでは高電圧での放電が行われるため、この放電に伴う熱を排気するための排熱通路を確保する必要があり、背面カバーとＰＤＰや金属シャーシとの間に十分な排熱通路を確保する課題があるために、薄型化を困難にしている。
【０００８】
そこで、本発明の第１の目的は、放熱効率を向上しつつ薄型化が図れるテレビジョン受像機を提供することにある。
【０００９】
また、本発明の第２の目的は、放熱効率を向上しつつ薄型化が図れるプラズマディスプレイ装置を提供することにある。
【課題を解決するための手段】
【００１０】
本発明に係るテレビジョン受像機は、前記第１の目的を達成するために、水平方向に平行に配置されたスキャン電極群とサステイン電極群とが形成され、該スキャン電極群と該サステイン電極群と直交する位置にアドレス電極群を形成し、それらの交点の複数の画素毎の射出光の制御により主面より画像を表示するプラズマディスプレイ装置と、チューナを備えたテレビジョン受像機本体とを含んで構成されるテレビジョン受像機において、前記プラズマディスプレイ装置は、前記表示パネルを備えた表示筐体と、この表示筐体の一方の片側と下部を保持する保持筐体とを含んで構成され、前記表示パネルは、一方の片側に前記スキャン電極群と前記サステイン電極群が接続されるＸＹ接続部、下部に前記アドレス電極群が接続されるＡ接続部をそれぞれ備え、前記保持筐体は、前記表示筐体の下部を保持する下部筐体に、前記スキャン電極群に維持放電パルスを印加するＹ駆動部と、前記サステイン電極群に維持放電パルスを印加するＸ駆動部と、前記アドレス電極群にデータパルスと駆動電圧を供給するＡ駆動部とを備え、前記表示筐体の一方の片側を保持する前記保持筐体の側筐体に前記Ｘ駆動部と前記Ｙ駆動部を前記表示パネルに接続し、各ライン毎に独立してスキャンパルスを印加するＸＹ処理部を備え、前記テレビジョン受像機本体に、前記Ｘ駆動部と前記Ｙ駆動部及び前記Ａ駆動部を駆動制御する表示制御部を備え、前記表示筐体は、前記表示パネルの主面となる前部を電波シールドシートで覆い、対向する裏面側に前記表示パネルを強度的に保持し、かつ前記表示パネルの裏面を導電性の部材で覆って外側に露出して配置される裏面パネルを備えるようにする。
【００１１】
また、本発明に係るプラズマディスプレイ装置は、前記第２の目的を達成するために、水平方向に平行に配置されたスキャン電極群とサステイン電極群とが形成され、該スキャン電極群と該サステイン電極群と直交する位置にアドレス電極群を形成し、それらの交点の複数の画素毎の射出光の制御により主面より画像を表示するプラズマディスプレイ装置において、前記プラズマディスプレイ装置は、前記表示パネルを備えた表示筐体と、この表示筐体の一方の片側と下部を保持する保持筐体とを含んで構成され、前記表示パネルは、一方の片側に前記スキャン電極群と前記サステイン電極群が接続されるＸＹ接続部、下部に前記アドレス電極群が接続されるＡ接続部をそれぞれ備え、前記保持筐体は、前記表示筐体の下部を保持する下部筐体に、前記スキャン電極群に維持放電パルスを印加するＹ駆動部と、前記サステイン電極群に維持放電パルスを印加するＸ駆動部と、前記アドレス電極群にデータパルスと駆動電圧を供給するＡ駆動部とを備え、前記表示筐体の一方の片側を保持する前記保持筐体の側筐体に前記Ｘ駆動部と前記Ｙ駆動部を前記表示パネルに接続し、各ライン毎に独立してスキャンパルスを印加するＸＹ処理部を備え、前記Ｘ駆動部と前記Ｙ駆動部及び前記Ａ駆動部は、コードを介して接続される表示制御装置を介して駆動制御され、前記表示筐体は、前記表示パネルの主面となる前部に電波シールドシートで覆い、対向する裏面側に前記表示パネルを強度的に保持し、かつ前記表示パネルの裏面を導電性の部材で覆って外側に露出して配置される裏面パネルを備えるようにする。
【発明の効果】
【００１２】
本発明によれば、放熱効率を向上しつつ薄型化が図れるテレビジョン受像機とプラズマディスプレイ装置を提供することができる。
【発明を実施するための最良の形態】
【００１３】
以下、図１から図１３を参照して、この発明の実施の形態に係るテレビジョン受像機を詳細に説明する。ここで、図１から図７が第１の実施の形態に係るテレビジョン受像機、図８から図１３が他の応用例に係るテレビジョン受像機を示している。また、説明に当たっては、同一部位や機能部材については同一符号を持って示し、重複した説明を省略する。
【００１４】
（第１の実施の形態)
図１から図７は第１の実施の形態に係るテレビジョン受像機である。図１がテレビジョン受像機の概略図であり、図１（ａ）が裏面側の外観斜視図、図１（ｂ）が前面側の外観斜視図、図１（ｃ）が要部縦断面図、図１（ｄ）が要部横断面図を示している。図２はテレビジョン受像機の装置ブロック図を示している。図３はプラズマディスプレイ装置の部品展開図を示している。図４はプラズマディスプレイ装置の断面図であり、図４（ａ）が縦断面図、図４（ｂ）が図４(ａ)の上部拡大図、図４（ｃ）が要部横断面図、図４（ｄ）が図４（ａ）の下部部分拡大図を示している。図５はプラズマディスプレイ装置の前面側の外観斜視図である。図６はプラズマディスプレイ装置の裏面側の外観斜視図である。図７は、排気経路を示す説明図であり、図７（ａ）が床面設置時、図７（ｂ）が壁面取り付時の状態図である。
【００１５】
先ず、図１を参照して、この実施の形態に係るテレビジョン受像機の概略構造を説明する。図１において、符号１で総括的に示すテレビジョン受像機は、コンテンツ情報を表示するプラズマディスプレイ装置１００と、チューナや記憶装置を備えて前記プラズマディスプレイ装置１００にコンテンツ情報を提供するテレビジョン受像機本体２００とを含んで構成される。この実施の形態に係るテレビジョン受像機１は、プラズマディスプレイ装置１００とテレビジョン受像機本体２００に内蔵する夫々の装置を見直し、それらの配置構成を工夫することでプラズマディスプレイ装置１００の薄型化を実現した構造としている。
【００１６】
前記プラズマディスプレイ装置１００は、複数の画素が配置され、この画素毎の射出光の制御により、主面より画像を表示するプラズマディスプレイ方式の表示パネル１２０を含んで構成される表示筺体１１０と、この表示筺体１１０の一方の側端部と下端部を覆うＬ型の保持筺体１７０と、このＬ型の保持筺体１７０を下方より支持するスタンド１９５より構成される。前記テレビジョン受像機本体２００は、箱型の筐体を備え、その内部にテレビチューナや記憶装置などを備えて構成される。
【００１７】
この実施の形態では、前記テレビジョン受像機本体２００にアンテナやケーブルテレビ回線、あるいはインターネット回線を接続することにより、これらから取得したコンテンツ情報、あるいは内部の記憶装置に格納したコンテンツ情報を前記プラズマディスプレイ装置１００に提供して、これをプラズマディスプレイ装置１００の表示画面１０１に表示することができる。このテレビジョン受像機１では、図示しないリモコンやテレビジョン受像機本体２００に設けた操作スイッチを介して、各種の操作を実行することができる。
【００１８】
前記表示パネル１２０は、図２に示すように、前面基板１２１である透明ガラス基板に水平方向に平行に配置されたスキャン電極群（Ｙ電極群という）とサステイン電極群（Ｘ電極群という）とが形成され、背面基板１２４に前記Ｙ電極群１２２とＸ電極群１２３と直交するアドレス電極群（Ａ電極群という）を形成し、それらの交点のセルを選択して放電させ、発生する紫外線で蛍光体を発光させる構造を備えている。このため、この実施の形態に係る表示筐体１１０では、この表示パネル１２０を、前面側に配置される電波シールドシート１３０と、前記表示パネル１２０の裏面側に配置される裏面パネル１５０と、表示パネル１２０の側端部を覆う端部部材１６０とで覆うことで、この表示パネル１２０から発生する電波や外部電波の影響を受けないシールド構造を実現している。
【００１９】
また、この実施の形態では、この表示パネル１２０の一方の片側端部にＹ電極群１２２とＸ電極群１２３と接続されるＸＹ接続部１２７を備え、この表示パネル１２０の下端部にＡ電極群１２５と接続されるＡ接続部１２８とを備えている。
【００２０】
そして、前記裏面パネル１５０は、ＸＹ接続部１２７が設けられる一方の片側に延在して基板収納部１５１が形成され、この基板収納部１５１にＸＹ接続部１２７とフレキシブル配線シート１３１を介して接続されるＸＹ処理部１３２が収納される。ここでＸＹ処理部１３２はＹ駆動部１３４とＸ駆動部１３５をＸＹ接続部１２７に接続するための処理回路が設けられる。
【００２１】
一方、Ａ接続部１２８が設けられる表示パネル１２０の下端部に延在して保持筺体取付部１５２が形成される。この保持筺体取付部１５２は、スタンド１９５が取り付けられるとともに、その前部には操作基板１３７やスピーカ１３８が取り付けられ、裏面にはＹ電極群を駆動するＹ駆動部１３４と前記Ｘ電極群を駆動するＸ駆動部１３５が設けられる。また、このＹ駆動部１３４とＸ駆動部１３５の上方で、かつ表示パネル１２０の投影面積内の下端部となる位置に、前記Ａ接続部１２８とフレキシブル配線シート１３１を介して接続されるＡ駆動部１３６が設けられる。
【００２２】
この実施の形態では、Ａ駆動部１３６とＹ駆動部１３４とＸ駆動部１３５を含む駆動部１３３を制御するプラズマディスプレイ装置１００の表示制御部２２０を、テレビジョン受像機本体２００に備える構造としている。したがって、この実施の形態では、Ｘ電極群１２３とＹ電極群１２２がＸＹ接続部１２７からフレキシブル配線シート１３１を介してＸＹ処理部１３２に接続され、更にこのＸＹ処理部１３２がＹ駆動部１３４とＸ駆動部１３５に結線される。また、Ａ電極群１２５は、Ａ接続部１２８からフレキシブル配線シート１３１を介してＡ駆動部１３６に接続される。そして、これらＡ駆動部１３６とＹ駆動部１３４及びＸ駆動部１３５を含む駆動部１３３は、前記表示制御部２２０にコードを介して接続される。
【００２３】
一方、保持筺体１７０は、前記基板収納部１５１を前後から覆うように表示筺体１１０の一方の片側に柱状に形成される縦長筺体部１５３と、この縦長筺体部１５３の下端部から保持筺体取付部１５２の前後を覆うように横長に形成される横長筺体部１５４とからなるＬ型の外形状を備えている。この保持筺体１７０は、その前部を表示パネル１２０の前面部から肉厚程度張り出すように形成され、その後部は後方に張り出して形成される。そして、後部の張り出した部分は中央部分が壁面取り付け時の取付面１５５となるようにフラットに形成され、この取付面１５５の上下面には通気口１５６が設けられている。
【００２４】
そして、この実施の形態に係るテレビジョン受像機１の大きな特徴の１つは、従来、表示パネル１２０の裏面に並設していた駆動部１３３や表示制御部２２０などの回路基板を整理して、表示パネル１２０の辺側あるいは別体のテレビジョン受像機本体２００に移動させることで、表示パネル１２０の裏面をすっきりさせた構造とし、このすっきりした表示パネル１２０の裏面を外部に露出した裏面パネル１５０で構成した点にある。
【００２５】
即ち、この実施の形態では、裏面パネル１５０を板状の強度部材で構成し、一方の面を表示パネル１２０の背面基板１２４に取り付け、他方の面を外側に露出させることで、この裏面パネル１５０に表示パネル１２０の強度を確保する機能と、外装体としての機能と、放熱の機能を持たせるようにしている。しかも、この実施の形態では、裏面パネル１５０を導電性のある金属材料で形成することで、電波や外部電波の影響を受けないシールド機能をも持たせている。なお、裏面パネル１５０を導電性のない強化ガラスなどで形成するようにしてもよいが、この場合、電波シールドシートを貼るようにする。
【００２６】
このように、この実施の形態では、表示パネル１２０の裏面を、電波シールド機能と補強機能と放熱機能と外装機能を備えた板状の裏面パネル１５０で覆うことにより、表示筺体１１０の薄型化を実現している。
【００２７】
また、この実施の形態に係るテレビジョン受像機１の他の大きな特徴の１つは、表示制御部２２０や電源などの画質に影響の少ない基板を表示パネル１２０から切り離して、画質に大きく影響するＸＹ処理部１３２を表示パネル１２０の一方の片側にその辺方向に沿って隣接して設け、駆動部１３３をユーザに目立ち難い表示パネル１２０の下部にその辺方向に沿って隣接して設けた点にある。
【００２８】
ここで、ＸＹ処理部１３２は、１ライン毎に独立してスキャンパルスを印加するために必要なドライバＩＣを含み、同時にＹ駆動部１３４からのリセット、維持放電を全ピン出力する。このように、ＸＹ処理部１３２はパルス電極を直接駆動するためのドライバ回路であるため、この実施の形態では、ドライバ回路を表示パネル１２０の近傍に近接配置することで、ＩＣ出力からのインピーダンス増大の影響を少なくしている。
【００２９】
また、Ｙ駆動部１３４とＸ駆動部１３５は、パネル放電発光のドライブ供給源であり、交互に配置されるＸ電極群１２３とＹ電極群１２２に維持放電パルスを印加する回路である。またＸ−Ｙ間の面リセットで１フレーム毎の表示を更新可能とする。なお、Ｙ電極群１２２はデータアドレス時のスキャンパルスの印加も行う。
【００３０】
また、Ａ駆動部１３６は、Ａ電極群１２５を駆動するためのＡ接続部１２８にデータパルスと駆動電源を供給する中継基板である。Ａ接続部１２８では、正反２相のクロックエッジで２チップ共通のデータバスをシフトして全体の転送速度を見かけ上、２倍で動かすことができる。この実施の形態では、Ａ駆動部１３６がＡ接続部１２８に対してクロックデータ、データ、駆動電圧を供給するため、Ａ接続部１２８の端子に直接直結した方が望ましいので、Ａ接続部１２８に隣接して設けている。
【００３１】
このように、この配置構成によれば、ユーザに目立ちやすいプラズマディスプレイ装置１００の上部を薄く、かつコンパクトにまとめることができる。また、この実施の形態では、表示制御部２２０や電源などをテレビジョン受像機本体２００に設けることで、新たな装置を追加することなく、コンパクトで配線が良好なテレビジョン受像機１を実現している。
【００３２】
また、この実施の形態に係るテレビジョン受像機１の他の大きな特徴の１つは、表示パネル１２０とＸＹ処理部１３２を左右に並べて配置した点にある。即ち、従来、ＸＹ処理部１３２は表示パネル１２０の裏面側に重ねて配置する構造としていたが、この実施の形態では、ＸＹ処理部１３２を取り付ける基板収納部１５１と表示パネル１２０を左右に並設させることにより、基板収納部１５１を覆う縦長筺体部１５３の奥行き寸法を少なくして更なる薄型感のある筺体構造を実現している。
【００３３】
また、この実施の形態に係るテレビジョン受像機１の他の大きな特徴の１つは、Ａ駆動部１３６を表示パネル１２０の裏面側下部に重ねて設けた点にある。即ち、この実施の形態では、表示パネル１２０の下部に駆動部１３３を集中配置するため、この駆動部１３３をＸＹ処理部１３２と同様に表示パネル１２０と並べて配置すると、駆動部１３３が下方に大きく張り出して、プラズマディスプレイ装置１００の表示画面１０１の下部に形成される保持筺体１７０の高さ寸法が大きくなる課題がある。一方、この実施の形態では、表示パネル１２０の裏面に設けた裏面パネル１５０が放熱機能を備えているので、壁面に取り付けた際に、裏面パネル１５０が直接壁面に取り付けられると放熱効果が低減する課題がある。また、横長筺体部１５４内の放熱についても課題が残る。更には、操作基板１３７やスピーカ１３８の配置スペースを確保しなければならない。
【００３４】
そこで、この実施の形態では、Ａ駆動部１３６を表示パネル１２０の裏面側下部に重ねて設けることで、このＡ駆動部１３６の配置空間を後方に張り出して形成し、上記課題を解決している。即ち、裏面パネル１５０を下方に延在させて、これを前後で挟むように表示パネル１２０とＡ駆動部１３６を配置し、その下方には、保持筺体取付部１５２を挟んで操作基板１３７を含むスピーカ１３８と、Ｙ駆動部１３４とＸ駆動部１３５とを前後に配置することで、コンパクトな構造としている。
【００３５】
そしてまた、駆動部１３３や操作基板１３７を覆う横長筺体部１５４は、前方への張り出し量を少なくして、後方に張り出して形成することができる。そして、この張り出した部分の裏面に平面を確保することができるので、この平面部を壁面に対する取付面１５５とすることができる。したがって、この取付面１５５を介して壁面に取り付けることにより、裏面パネル１５０が壁面に接触することがない。しかも、後方に張り出した横長筺体部１５４は、ユーザから見え難い部位であるため、薄型感を阻害することを軽減できる。
【００３６】
また、この実施の形態に係るテレビジョン受像機１の他の大きな特徴の１つは、後方に張り出した横長筺体部１５４を利用して、取付面１５５の上下に通気口１５６を設けることで、下方の吸気口１５６ａから取り込まれた空気が自然対流で上方の排気口１５６ｂから排気される。このため、横長筺体部１５４の放熱効果を向上することができる。また、この実施の形態では、縦長筺体部１５３の上端にも通気口１５７を設けているので、吸気口１５６ａから取り込まれた空気は煙突効果でＸＹ処理部１３２を効率よく冷やして通気口１５７から排気される。
【００３７】
このように、この実施の形態によれば、放熱効率を向上しつつ薄型化が図れるテレビジョン受像機を提供することができる。
【００３８】
以下、図２から図７を参照して、この実施の形態に係るテレビジョン受像機１を詳細に説明する。
【００３９】
先ず、図２を参照して、装置構成を説明する。図２において、前記したように、この実施の形態に係るテレビジョン受像機１は、プラズマディスプレイ装置１００とテレビジョン受像機本体２００と図示しないリモコンとを含んで構成される。ここで、リモコンは赤外線信号を介してテレビジョン受像機本体２００を遠隔操作することができるものであるが、公知の技術を用いているので詳細説明を省略する。
【００４０】
プラズマディスプレイ装置１００は、表示パネル１２０と、この表示パネル１２０の片側にその辺方向に沿って隣接して配置されるＸＹ処理部１３２と、この表示パネル１２０の下端にその辺方向に沿って隣接して配置されるＡ駆動部１３６と、このＡ駆動部１３６の長手方向に沿って並べて配置されるＹ駆動部１３４とＸ駆動部１３５と、外部機器との接続を可能にする端子部１３９と、操作スイッチを備えた操作基板１３７と、スピーカ１３８を含んで構成される。
【００４１】
表示パネル１２０は、前面基板１２１である透明ガラス基板に水平方向に平行に配置されたＹ電極群１２２とＸ電極群１２３とが形成され、背面基板１２４にＹ電極群１２２とＸ電極群１２３と直交するＡ電極群１２５を形成し、それらの交点のセル１２６を選択して放電させ、発生する紫外線で蛍光体を発光させることでコンテンツ情報を表示させることができる。
【００４２】
Ｙ電極群１２２とＸ電極群１２３とは片側に平行して延伸され、それぞれ交互に並んだ接続用の端子を有するＸＹ接続部１２７に接続され、フレキシブル配線シート１３１を介してＹ駆動部１３４とＸ駆動部１３５のＸＹ処理部１３２に接続処理され、更にＹ電極群１２２を駆動するためのＹ駆動部１３４とＸ電極群１２３を駆動するためのＸ駆動部１３５に接続される。一方、Ａ電極群１２５は下側に延伸し、接続用の端子を有するＡ接続部１２８に接続され、フレキシブル配線シート１３１を介し、Ａ電極群１２５を駆動するためのＡ駆動部１３６に接続される。そして、この実施の形態では、駆動部１３３は、テレビジョン受像機本体２００に設けた表示制御部２２０に接続され、制御される。
【００４３】
一方、テレビジョン受像機本体２００は、マイコン２０１が、リモコンの赤外線による操作指示信号をリモコン受光部２０８で受信し、この操作指示に基づいて、このテレビジョン受像機１を統括的に制御する。
【００４４】
チューナ２０２は、電子番組ガイド情報（ＥＰＧ情報）を重複した放送波を受信できる公知のものである。この電子番組ガイド情報は、チャンネル番号、番組の放送時間、番組名、番組内容、出演者、それら複数の番組が多重化されたストリームから所望の番組を抜き出すために必要なプログラムＩＤとプログラムテーブルなどが含まれる。前記放送波は、地上波、衛星放送波、有線放送波の何れでも良い。
【００４５】
前記チューナ２０２で受信された放送波は、番組情報抽出部２０３でＥＰＧ情報とコンテンツ情報に分離され、音声再生部２０４と映像再生部２０５に出力される。音声再生部２０４は、プラズマディスプレイ装置１００に設けたスピーカ１３８に出力される。映像情報は、映像再生部２０５からの映像信号と画面生成部２０７からのグラフィックデータが表示合成部２０６で合成され、表示制御部２２０に出力される。
【００４６】
この実施の形態では、大容量の記憶装置としてＨＤＤ（ハードデイスク装置）２０９と、ＤＶＤ（デジタルビデオデイスク装置）２１０を備えている。そして、この実施の形態では、ＤＶＤ２１０やＨＤＤ２０９に格納されたコンテンツの再生はもちろんのこと、放送波で受信したコンテンツをＤＶＤ２１０やＨＤＤ２０９に格納することができ、また、ＤＶＤ２１０とＨＤＤ２０９の間で相互にダビングを行うことができる。
【００４７】
また、この実施の形態では、外部インターフェイス部２１１がプラズマディスプレイ装置１００に設けた端子部１３９に接続されている。したがって、この端子部１３９に外部機器を接続することで、外部インターフェイス部２１１に接続したと同様な効果を得ることができる。
【００４８】
さて、表示制御部２２０は、点灯セルの選択や放電のための制御を行うものであり、タイミング生成回路２２１と電圧生成回路２２２とデータ処理回路２２３とを含んで構成される。プラズマディスプレイ装置１００への電源はテレビジョン受像機本体２００の図示しない電源部から供給される。
【００４９】
次に、図３を介して、プラズマディスプレイ装置１００の構造的な部品構成を説明する。図３において、この実施の形態では、導電性のある金属材料で形成される裏面パネル１５０の一方の片側に基板収納部１５１が形成され、下部に保持筺体取付部１５２が形成されている。そして、この保持筺体取付部１５２の上方で、かつ基板収納部１５１の他方となる裏面パネル１５０の前面に、前面基板１２１と背面基板１２４からなる表示パネル１２０の裏面が取り付け（接着）られる。
【００５０】
一方、表示パネル１２０の前面には、抵抗膜や金属メッシュなどからなる電波シールドシート１３０が蒸着あるいは貼付などの方法で取り付けられる。また、少なくとも、保持筺体取付部１５２と対向する表示パネル１２０の上端部と、基板収納部１５１と対向する表示パネル１２０の片側には端部部材１６０が取り付けられる。この端部部材１６０は、電波シールド機能を備えた材料で形成され、表示パネル１２０の露出する端部の電波シールドと、端部の強度的な補強と、意匠性を向上する。
【００５１】
基板収納部１５１には、後方に開放した凹部が設けられており、この凹部に縦長の板状の基板からなるＸＹ処理部１３２がネジなどを介して取り付けられる。一方、保持筺体取付部１５２の前面には、操作基板１３７とスピーカ１３８が左右方向に並べて取り付けられ、保持筺体取付部１５２の裏面側には横長の基板からなるＹ駆動部１３４とＸ駆動部１３５とＡ駆動部１３６が取り付けられる。ここで、表示パネル１２０の横幅一杯までの長さを備えた短冊状のＡ駆動部１３６が上方位置で、その下方に横長短冊状のＸ駆動部１３５とＡ駆動部１３６が取り付けられる。
【００５２】
そして、この実施の形態では、Ｌ字型の保持筺体１７０が樹脂材料で形成され、またその内側に必要により導電性の材料で覆った前カバー１７１と裏面カバー１７２とで構成し、この２つのカバーを介して基板収納部１５１と保持筺体取付部１５２を覆うように挟み込んでネジなどで止めることで、基板収納部１５１と保持筺体取付部１５２を隠蔽して意匠性を向上している。
【００５３】
なお、この実施の形態に係るスタンド１９５は、ネジなどを介して保持筺体取付部１５２に着脱可能に取り付けることができる壁面取り付け兼用構造としている。
【００５４】
このように、この実施の形態に係るプラズマディスプレイ装置１００は、通常の構造では、表示パネル１２０の前面に形成される表示画面１０１以外は樹脂材料などの成型品で覆う構造としているのに対し、この実施の形態では表示パネル１２０の裏面側に取り付けられる背面パネル１５０を大きく露出させて、樹脂材料などの成型品で覆う部分を表示パネル１２０の片側と下部のみとする構造を採用することで、スリムな薄型構造を実現している。
【００５５】
次に、図４を参照して、各装置の配置構造を更に具体的に説明する。図４において、図４（ａ）はプラズマディスプレイ装置１００の中央縦断面図を模式的に示したものである。図４（ａ）から明らかなように、プラズマディスプレイ装置１００の下部に主要な装置を集中することで、低重心の構成を備えている。これに伴い、下部の奥行き寸法が上部の奥行き寸法より大きく（厚く）なっている。
【００５６】
図４（ｂ）は、プラズマディスプレイ装置１００の上端部の拡大図を示している。表示筺体１１０の端部を覆う端部部材１６０は、前面基板１２１と背面基板１２４からなる表示パネル１２０と、この表示パネル１２０の前後を覆う電波シールドシート１３０と裏面パネル１５０の端部を、その内側に嵌合する構造を備えることにより、強度的にも、電波シールド的にも、更には意匠的にも良好なものとしている。
【００５７】
一方、表示パネル１２０の裏面を覆う裏面パネル１５０は、表示パネル１２０の一方の片側と、下部に延在して設けられる。
【００５８】
図４（ｃ）は、プラズマディスプレイ装置１００の横断面図を示している。図４（ｃ）から明らかなように、裏面パネル１５０の片側の端部は、裏面側に凹状の基板収納部１５１を形成するように、基板収納部１５１の前部が表示パネル１２０の厚さ分（奥行き寸法）前方に張り出して形成される。この折り曲げ加工を施すことにより、裏面パネル１５０の強度を向上させている。
【００５９】
表示パネル１２０は、前方に張り出した基板収納部１５１の段差を利用して位置合わせすることができるので、組立性を向上することもできる。
【００６０】
凹状の基板収納部１５１の表示パネル１２０側の段差部には、上下方向に沿って開口部１５８が形成され、この開口部１５８にフレキシブル配線シート１３１を通すことで、表示パネル１２０のＸＹ接続部１２７と凹状の基板収納部１５１の内側（裏面側）に取り付けられるＸＹ処理部１３２とを電気的に接続することができる。
【００６１】
このように、この実施の形態では、縦長短冊状の基板からなるＸＹ処理部１３２を表示パネル１２０の片側に左右に並べて配置することにより、ユーザに目立ちやすいプラズマディスプレイ装置１００の上部の厚さを抑えることができる。しかも、ＸＹ処理部１３２は幅方向の寸法が小さいのでプラズマディスプレイ装置１００の横幅寸法に大きな影響を与えることなく厚さ（奥行き寸法）を抑えることができる。
【００６２】
図４（ｄ）図プラズマディスプレイ装置１００の下部の拡大断面図である。図４（ｄ）において、裏面パネル１５０は、その下端部に形成した保持筺体取付部１５２の前面上部に表示パネル１２０の下端部を支持する帯状の保持レール１５９が形成される。この保持レール１５９は、基板収納部１５１の前記段差部とともに、裏面パネル１５０に表示パネル１２０を取り付ける際の位置合わせともなるもので、表示パネル１２０を支持するととともに、裏面パネル１５０との組立性を向上するものである。
【００６３】
この保持レール１５９と、この保持レール１５９の近傍の保持筺体取付部１５２の上部には、保持レール１５９の長手方向に沿って開口部１５８が形成される。そして、表示パネル１２０の下端部の後方となる裏面パネル１５０の裏面側には、その長手方向を保持レール１５９の長手方向に沿うようにＡ駆動部１３６が重ねて取り付けられる。そして、このＡ駆動部１３６と表示パネル１２０は、前記開口部１５８を通るフレキシブル配線シート１３１により電気的に接続される。
【００６４】
このように、この実施の形態では、裏面パネル１５０の前後に表示パネル１２０とＡ駆動部１３６とが対向して取り付けられる。この実施の形態では、裏面パネル１５０の裏面側上部は、外側に露出する構造としているので、プラズマディスプレイ装置１００の背面の下部はＡ駆動部１３６の厚さ分だけ後方に張り出すこととなるが、この部分は、ユーザに目立ち難い部分であるとともに、後で述べるように、壁面に取り付ける際の取り付け性を向上することができる。
【００６５】
また、Ａ駆動部１３６の下方の位置となる保持筺体取付部１５２の裏面側には、Ｙ駆動部１３４とＸ駆動部１３５が、その長手方向をＡ駆動部１３６の長手方向と一致するように並べて配置される。この配置構成によれば、裏面パネル１５０に対し、Ａ駆動部１３６とＹ駆動部１３４及びＸ駆動部１３５を同じ厚みで取り付けることとなるので、その裏面側を覆う保持筺体１７０の部分をフラットとして、当該フラットの形状を利用して、壁面などにプラズマディスプレイ装置１００を取り付ける際の取付面１５５とすることができる。
【００６６】
一方、保持筺体取付部１５２の前面側には、保持レール１５９の厚さ（奥行き寸法）に合わせて、スタンド１９５を取り付けたり、更には、操作基板１３７やスピーカ１３８などを効率よく配置することができる。
【００６７】
次に、図５と図６を参照して、プラズマディスプレイ装置１００の外観を更に詳細に説明する。
【００６８】
先ず、図５において、この実施の形態に係る表示筺体１１０は、５０インチの表示画面１０１を想定したものであり、最大の横幅寸法Wを１２２２ｍｍ、高さ寸法Hを７２７ｍｍ、最大奥行き寸法ｄ３を４０ｍｍに設定している。この種の５０インチ相当の表示画面を備えた従来技術のテレビジョン受像機では、最大の横幅寸法Wが１２４０ｍｍ、高さ寸法Hを８３６ｍｍ、最大奥行き寸法ｄ３を１０５ｍｍとするものが実施されている。この実施の形態に係るプラズマディスプレイ装置１００では、この従来技術に比べて最大奥行き寸法ｄ３を半分以下に設定することができる。
【００６９】
しかも、この実施の形態では、ユーザにとって目立つ部分である表示筺体１１０の奥行き寸法ｄ１を８ｍｍに設定することができるので、ユーザに薄型の筐体を実感させることができる。また、この実施の形態では、表示筺体１１０の片側に奥行き寸法ｄ２が２５ｍｍの縦長筺体部１５３が形成される。しかし、この縦長筺体部１５３の大きさは、細い柱状でしかも、表示筺体１１０と連続するように形成されるので、奥行き寸法ｄ１を８ｍｍの薄型感を大きく阻害することがない。
【００７０】
また、図６において、この実施の形態では、表示筺体１１０の裏面に張り出して形成される縦長筺体部１５３は、その両側端部が傾斜面１７３ａ、１７３ｂで形成される。このため、裏面パネル１５０と後方に張り出した縦長筺体部１５３の裏面とが傾斜面１７３ｂを介して緩やかに連続されるため、縦長筺体部１５３の張り出し感を軽減することができる。
【００７１】
また、横長筺体部１５４の裏面を構成するフラットな取付面１５５は壁面に取り付けるための取付孔１７４が設けられている。この取付面１５５の周囲の端部は、上下の傾斜面１７５ａ、１７５ｂと左右の傾斜面１７６で形成される。特に、上部の傾斜面１７５ａは、フラットな取付面１５５と裏面パネル１５０との段差を無くして２つの部材間を緩やかに連続させることができるので、横長筺体部１５４の厚みが表示パネル１２０の薄型感に影響することを軽減することができる。更には、縦長筺体部１５３の端部側の傾斜面１７３ａと横長筺体部１５４両側の傾斜面１７６とは、内側に絞り込まれた連続した傾斜面で形成されるため、縦長筺体部１５３と横長筺体部１５４とで構成される保持筺体１７０の薄型感を向上させている。
【００７２】
次に、図７（ａ）において、この実施の形態では、表示パネル１２０の裏面を裏面パネル１５０で構成し、この裏面に露出する裏面パネル１５０に放熱機能、補強機能、電波シールド機能、外装機能を持たしている。このため、裏面側に大きく露出する裏面パネル１５０を介して表示パネル１２０の発熱を効率よく放熱することができる。また、横長筺体部１５４の背面部は、上下を傾斜面１７５ａ、１７５ｂで構成することにより、傾斜面１７５ａ、１７５ｂの面積を広くすることができる。そして、この広い傾斜面１７５ａ、１７５ｂに通気口１５６を設けることができる。したがって、横長筺体部１５４に配置される駆動部１３３から発生する熱を、吸気口１５６ａから取り込んだ空気で冷やして、その暖められた空気を排気口１５６ｂから効率よく排気することができる。
【００７３】
一方、吸気口１５６ａから取り込んだ空気は、縦長筺体部１５３の内部に取り込まれて、基板収納部１５１に配置されるＡ駆動部１３６から発生する熱を奪って煙突効果を利用して効率よく通気口１５７から排気することができる。
【００７４】
また、図７（ｂ）に示すように、プラズマディスプレイ装置１００を壁面に取り付ける場合には、板状の壁面取付具１９６を介して壁面に取り付ける。この設置状態では、プラズマディスプレイ装置１００が保持筺体１７０の裏面側に張り出した取付面１５５を介して壁面に取り付けられるので、裏面パネル１５０の裏面側と壁面との間には、この取付面１５５と裏面パネル１５０の段差分の隙間１９７が形成される。したがって、吸気口１５６ａから横長筺体部１５４に取り込まれた空気は、駆動部１３３を冷やした後で排気口１５６ｂから隙間１９７に排出され、更に裏面パネル１５０に触れながら隙間１９７を上昇することで裏面パネル１５０を冷やしながら表示筺体１１０の上方に排出される。このように、この実施の形態では、壁面取り付け時には隙間１９７の煙突効果を利用して効率よく放熱できるので、放熱効率を向上させることができる。
【００７５】
（第２の実施の形態）
次に、図８、図９を参照して、第２の実施の形態を詳細に説明する。ここで、図８は第２の実施の形態に係るプラズマディスプレイ装置の部品展開図である。図９は第２の実施の形態に係るプラズマディスプレイ装置の横断面図である。第１の実施の形態と同一部位や矢印などは同一符号を持って示し、詳細な説明を省略する。
【００７６】
図８において、この第２の実施の形態に係るプラズマディスプレイ装置１００ａは、裏面パネル１５０ａを表示パネル１２０の投影面積の大きさとし、基板収納部１５１ａと保持筺体取付部１５２ａとを保持筺体１７０のシャーシ１７７に備えている。
【００７７】
即ち、この実施の形態に係る表示筺体１１０ａは、表示パネル１２０と、この表示パネル１２０の前面を覆う電波シールドシート１３０と、この表示パネル１２０の裏面を覆う裏面パネル１５０ａとを含んで構成される。ここで、裏面パネル１５０ａは表示パネル１２０の投影面積と同じ大きさを備えている。したがって、この表示筺体１１０ａは、矩形状の薄型板状の形状を備えている。
【００７８】
一方、保持筺体１７０は、その内部にプラズマディスプレイ装置１００の骨格を成すシャーシ１７７を備えている。このシャーシ１７７は、Ｌ型の保持筺体１７０の骨格を成すようにＬ型の形状を備えている。即ち、このシャーシ１７７は、縦長筺体部１５３の内部に配置される縦長シャーシ１７７ａと、この縦長シャーシ１７７ａの下端部から横方向に伸びて横長筺体部１５４の内部に配置される横長シャーシ１７７ｂとが一体で形成される。
【００７９】
縦長シャーシ１７７ａは、第１の実施の形態で示した基板収納部１５１の機能を備えて構成され、横長シャーシ１７７ｂは第１の実施の形態で示した保持筺体取付部１５２の機能を備えて構成される。横長シャーシ１７７ａは、その前部上端に表示パネル１２０の下端部を挟み込んで支持する保持レール１５９ａが設けられ、縦長シャーシ１７７ａの内側にも、保持レール１５９ａと連続し、表示パネル１２０の片側端部を挟み込んで支持する支持レール１６１が形成される。
【００８０】
このように、この実施の形態では、保持レール１５９ａと支持レール１６１を介して表示パネル１２０の下端部と片側を強度的に支持することができる。また、この保持レール１５９ａと支持レール１６１には、図示しない開口部１５８を備えており（図９参照）、この開口部１５８を通すフレキシブル配線シート１３１を介して表示パネル１２０とＸＹ処理部１３２または駆動部１３３とを電気的に接続することができる。
【００８１】
また、横長シャーシ１７７ｂの前部には、操作基板１３７とスピーカ１３８が第１の実施の形態と同様に配置され、横長シャーシ１７７ｂの後部にはＹ駆動部１３４とＸ駆動部１３５が前記第１の実施の形態と同様に配置される。そしてまた、Ａ駆動部１３６もまた、前記第１の実施の形態と同様に、Ｙ駆動部１３４とＸ駆動部１３５の上方位置で、かつ表示パネル１２０の下方の裏面側に配置される。
【００８２】
一方、縦長シャーシ１７７ａは、裏面側が凹状で、前方に表示パネル１２０の厚さ分だけ張り出して形成される基板収納部１５１が形成され、この基板収納部１５１にＸＹ処理部１３２が取り付けられる。
【００８３】
そして、この実施の形態では、シャーシ１７７に表示パネル１２０や駆動部１３３及び操作基板１３７を取り付けた後で、このシャーシ１７７を前後から挟み込むように前カバー１７１と裏面カバー１７２を取り付けるようにする。
【００８４】
図９は、縦長筺体部１５３近傍の横断面図を示している。図９から明らかなように、縦長シャーシ１７７ａは、裏面側が凹状の断面形状を備えることで基板収納部１５１ａが形成される。そして、基板収納部１５１の片側に溝形状を備えた支持レール１６１が形成される。この支持レール１６１の溝は、同様な形状を備えた保持レール１５９の溝と連続させることで、表示パネル１２０を確り保持することができる。そして、基板収納部１５１にＸＹ処理部１３２を取り付けて、この縦長シャーシ１７７ａに前カバー１７１と裏面カバー１７２を前後から取り付けてネジ止めすることで、プラズマディスプレイ装置１００ａを組み立てることができる。ここで、スタンド１９５は、必要により前記横長シャーシ１７７ｂに取り付けることで、壁面取付けや床面設置に対応させることができる。
【００８５】
（他の応用例）
次に、裏面パネルの他の応用例を詳細に説明する。図１０は裏面パネルの他の応用例に係る外観図であり、図１０（ａ）は後方斜視図、図１０（ｂ）は要部横断面図である。図１１は裏面パネルの他の応用例に係る外観図であり、図１１（ａ）は後方斜視図、図１１（ｂ）は要部縦断面図である。
【００８６】
図１０において、この実施の形態に係る裏面パネル１５０ｂは、この裏面パネル１５０ｂの裏面側を縦模様の凹凸形状としたものである。この実施の形態によれば、裏面パネル１５０ｂの表面積を増やすことができるので、放熱効果を向上させることができる。しかも、この凹凸模様を上下方向の凹凸模様とすることで、図７（ｂ）で説明したように、排気空気の上昇方向とすることができ、放熱効果を一層向上することができる。また、この凹凸模様の形状であれば、軽量化を図りながら溝方向に対する強度を向上することができる。更に、外観を一様な凹凸模様を施すことで、成型や製造過程での歪みや荒さを目立たなくすることができるので、意匠性を向上することができる。
【００８７】
図１１において、この実施の形態に係る裏面パネル１５０ｃは、この裏面パネル１５０ｃの周囲を表示パネル１２０に密着して取り付け、その内部に中空部１６２を形成することで、裏面パネル１５０の表面積を増やして、強度的にも、放熱効果の面からも向上が図れるものである。この実施の形態では、裏面パネル１５０ｃの中央部を一端立ち上げて隆起させ、この隆起させた部分の一部を逆に凹状の形状とする形状としている。この構造によれば、ユーザに薄さとして目立つ表示筺体１１０の周囲の端部は、裏面パネル１５０ｃと表示パネル１２０とが密着されるので、ユーザに薄型感を与えることができる。一方、ユーザに見え難い裏面パネル１５０ｃの中央部分は裏面側に張り出す形状などで、奥行き寸法は実質的に大きくなるがユーザに与える薄型感にはあまり影響を与えることがない。しかも、この隆起部の形状を多様な形態とすることができるので、前記機能的な効果を得ながら多様な造形を施すことができるので、意匠性を向上させることができる。
【００８８】
次に、図１２を参照して、駆動部１３３の他の配置構成を詳細に説明する。図１２は、駆動部の他の配置を示すプラズマディスプレイ装置の縦断面図である。
【００８９】
この実施の形態に係るプラズマディスプレイ装置１００ｃでは、第１の実施の形態で採用した裏面パネル１５０の下部に設けた保持筺体取付部１５２の前部に駆動部１３３や操作基板１３７などを集中配置したものである。なお、ＸＹ処理部１３２を備えた基板収納部１５１は第１の実施の形態と同様に付き説明を省略する。
【００９０】
図１２において、この実施の形態では、裏面パネル１５０を下方に伸ばして保持筺体取付部１５２を形成する。保持筺体取付部１５２の上部には保持レール１５９を形成し、この保持レール１５９に表示パネル１２０を支持して、表示パネル１２０の裏面を裏面パネル１５０の前面に取り付ける。
【００９１】
一方、保持レール１５９の下方の保持筺体取付部１５２の前面には、Ａ駆動部１３６を配置し、その下方にＹ駆動部１３４とＸ駆動部１３５を左右に並べて配置する。そして、Ａ駆動部１３６とＹ駆動部１３４及びＸ駆動部１３５の前面側に操作基板１３７やスピーカ１３８を重ねて配置するようにする。ここで、保持レール１５９には開口部１５８を形成し、この開口部１５８を介して、表示パネル１２０とＡ駆動部１３６とを電気的に接続する。そして、保持筺体取付部１５２の裏面側はスタンド１９５の取り付け面とする。
【００９２】
この実施の形態では、駆動部１３３と他の操作基板１３７とを前後に重ねて表示パネル１２０の下方に集中配置することで、表示筺体１１０の薄型化を向上させることができる。
【００９３】
次に、図１３を参照して、表示制御部２２０の他の配置構成について具体的に説明する。図１３は、他の応用例に係るテレビジョン受像機１ｄの装置ブロック図を示している。なお、図２と同様な部材については同一符号を持って示し、説明を省略する。
【００９４】
図１３において、この実施の形態に係るテレビジョン受像機１ｄは、表示制御部２２０をプラズマディスプレイ装置１００側に設けるようにする。この場合、保持筺体１７０の横長筺体部１５４に設けるようにし、表示パネル１２０の裏面側を構成する裏面パネル１５０を露出するようにする。例えば、図１２の保持筺体取付部１５２を挟んで駆動部１３３と対向する保持筺体取付部１５２の裏面側に表示制御部２２０を設けるようにする。あるいは、スタンド１９５に表示制御部２２０を設けるようにする。更には、表示制御部２２０を独立した筐体内に納めてプラズマディスプレイ装置１００の近傍に設置するようにしても良い。
【００９５】
これにより、ユーザに目立ち易いプラズマディスプレイ装置１００の上部形状を薄くして放熱効率を向上しつつ薄型化が図れるプラズマディスプレイ装置を提供することができる。
【００９６】
以上述べたように、この実施の形態に係るテレビジョン受像機は、水平方向に平行に配置されたスキャン電極群とサステイン電極群とが形成され、該スキャン電極群と該サステイン電極群と直交する位置にアドレス電極群を形成し、それらの交点の複数の画素毎の射出光の制御により主面より画像を表示するプラズマディスプレイ装置と、チューナを備えたテレビジョン受像機本体とを含んで構成されるテレビジョン受像機であって、前記プラズマディスプレイ装置は、前記表示パネルを備えた表示筐体と、この表示筐体の一方の片側と下部を保持する保持筐体とを含んで構成され、前記表示パネルは、一方の片側にスキャン電極群とサステイン電極群が接続されるＸＹ接続部、下部に前記アドレス電極群が接続されるＡ接続部をそれぞれ備え、前記保持筐体は、前記表示筐体の下部を保持する下部筐体に、前記スキャン電極群に維持放電パルスを印加するＹ駆動部と、前記サステイン電極群に維持放電パルスを印加するＸ駆動部と、前記アドレス電極群にデータパルスと駆動電圧を供給するＡ駆動部とを備え、前記表示筐体の一方の片側を保持する前記保持筐体の側筐体に前記Ｘ駆動部と前記Ｙ駆動部を前記表示パネルに接続し、各ライン毎に独立してスキャンパルスを印加するＸＹ処理部を備え、前記テレビジョン受像機本体に、前記Ｘ駆動部と前記Ｙ駆動部及び前記Ａ駆動部を駆動制御する表示制御部を備え、前記表示筐体は、前記表示パネルの主面となる前部に電波シールドシートで覆い、対向する裏面側に前記表示パネルを強度的に保持し、かつ前記表示パネルの裏面を導電性の部材で覆って外側に露出して配置される裏面パネルを備えるようにする。
【００９７】
また、この実施の形態に係るプラズマディスプレイ装置は、水平方向に平行に配置されたスキャン電極群とサステイン電極群とが形成され、該スキャン電極群と該サステイン電極群と直交する位置にアドレス電極群を形成し、それらの交点の複数の画素毎の射出光の制御により主面より画像を表示するプラズマディスプレイ装置であって、前記表示パネルは、一方の片側にスキャン電極群とサステイン電極群が接続されるＸＹ接続部、下部に前記アドレス電極群が接続されるＡ接続部をそれぞれ備え、前記保持筐体は、前記表示筐体の下部を保持する下部筐体に、前記スキャン電極群に維持放電パルスを印加するＹ駆動部と、前記サステイン電極群に維持放電パルスを印加するＸ駆動部と、前記アドレス電極群にデータパルスと駆動電圧を供給するＡ駆動部とを備え、前記表示筐体の一方の片側を保持する前記保持筐体の側筐体に前記Ｘ駆動部と前記Ｙ駆動部を前記表示パネルに接続し、各ライン毎に独立してスキャンパルスを印加するＸＹ処理部を備え、前記Ｘ駆動部と前記Ｙ駆動部及び前記Ａ駆動部はコードを介して接続される表示制御装置を介して駆動制御され、前記表示筐体は、前記表示パネルの主面となる前部に電波シールドシートで覆い、対向する裏面側に前記表示パネルを強度的に保持し、かつ前記表示パネルの裏面を導電性の部材で覆って外側に露出して配置される裏面パネルを備えるようにする。
【００９８】
上記テレビジョン受像機やプラズマディスプレイにおいては以下の展開が図れる。
【００９９】
即ち、前記Ｘ駆動部と前記Ｙ駆動部及び前記Ａ駆動部は、表示パネルの下辺に沿って形成され、前記Ａ駆動部は前記背面パネルを挟んで表示パネルの下端部と対向する裏面側に配置し、その下方に前記Ｘ駆動部と前記Ｙ駆動部を左右に並べて配置するようにする。
【０１００】
また、この場合、前記側筐体に、前記表示パネルの片側に沿って形成され、該表示パネルと前記ＸＹ処理部を左右に並べて配置する基板収納部を設けるようにする。
【０１０１】
また、この場合、前記裏面パネルは、前記表示パネル裏面を覆う大きさを備え、前記保持筐体は前記表示筐体を保持する保持手段を備えたシャーシを備えているようにする。
【０１０２】
また更に、前記下部筐体は、前記裏面パネルより後方に張り出して形成され、前記後方に張り出した上面と下面に前記下部筐体内で発生する熱を排気する通風口を備えるようにする。
【図面の簡単な説明】
【０１０３】
【図１】第１の実施の形態に係るテレビジョン受像機の概略図である。
【図２】第１の実施の形態に係るテレビジョン受像機の装置ブロック図である。
【図３】第１の実施の形態に係るプラズマディスプレイ装置の部品展開図である。
【図４】第１の実施の形態に係るプラズマディスプレイ装置の断面図である。
【図５】第１の実施の形態に係るプラズマディスプレイ装置の前面側の外観斜視図である。
【図６】第１の実施の形態に係るプラズマディスプレイ装置の裏面側の外観斜視図である。
【図７】第１の実施の形態に係るプラズマディスプレイ装置の排気経路を示す説明図である。
【図８】第２の実施の形態に係るプラズマディスプレイ装置の部品展開図である。
【図９】第２の実施の形態に係るプラズマディスプレイ装置の横断面図である。
【図１０】他の応用例に係るプラズマディスプレイ装置の裏面パネルの外観図である。
【図１１】他の応用例に係るプラズマディスプレイ装置の裏面パネルの外観図である。
【図１２】他の応用例に係るプラズマディスプレイ装置の縦断面図である。
【図１３】他の応用例に係るテレビジョン受像機の装置ブロック図である。
【符号の説明】
【０１０４】
１…テレビジョン受像機、１００…プラズマディスプレイ装置、１０１…表示画面、１１０…表示筺体、  １２０…表示パネル、１２１…前面基板、１２２…Ｙ電極群、１２３…Ｘ電極群、１２４…背面基板、１２５…Ａ電極群、１２６…セル、１２７…ＸＹ接続部、１２８…Ａ接続部、１３０…電波シールドシート、１３１…フレキシブル配線シート、１３２…ＸＹ処理部、１３３…駆動部、１３４…Ｙ駆動部、１３５…Ｘ駆動部、１３６…Ａ駆動部、１３７…操作基板、１３８…スピーカ、１３９…端子部、１５０…裏面パネル、１５１…基板収納部、１５２…保持筺体取付部、１５３…縦長筺体部、１５４…横長筺体部、１５５…取付面、１５６…通気口、１５６ａ…吸気口、１５６ｂ…排気口、１５７…通気口、１５８…開口部、１５９…保持レール、１６０…端部部材、１６１…支持レール、１６２…中空部、１７０…保持筺体、１７１…前カバー、１７２…裏面カバー、１７３ａ、１７３ｂ…傾斜面、１７４…取付孔、１７５ａ、１７５ｂ…傾斜面、１７６…傾斜面、１７７…シャーシ、１７７ａ…縦長シャーシ、１７７ｂ…横長シャーシ、１９５…スタンド、１９６…壁面取付具、１９７…隙間、２００…テレビジョン受像機本体、２２０…表示制御部、２２１…タイミング生成回路、２２２…電圧生成回路、２２３…データ処理回路。
【図１】
2009239561.tif 000003
【図２】
2009239561.tif 000004
【図３】
2009239561.tif 000005
【図４】
2009239561.tif 000006
【図５】
2009239561.tif 000007
【図６】
2009239561.tif 000008
【図７】
2009239561.tif 000009
【図８】
2009239561.tif 000010
【図９】
2009239561.tif 000011
【図１０】
2009239561.tif 000012
【図１１】
2009239561.tif 000013
【図１２】
2009239561.tif 000014
【図１３】
2009239561.tif 000015